(57)【要約】【目的】  携帯電話のモニター部分を適宜に被包して斜め後方からメール等を盗み見されることを防止すると共に汚れやキズからモニター面を適切に保護するシート材を提供しようとするものである。【構成】  斜め後方からは表示内容を判読し難くするために携帯電話のモニター表面を覆うように貼付けて使用する四方形の透明シート材であって、携帯電話本体と接着するために四方形シート材の上下左右何れか一辺端部にのみ接着部を設け、該接着部を設けた端部以外の端部に該シート材を容易にめくることができるようにつまみ部を形成した携帯電話のモニター用保護シート材。【選択図】        図３
0003112585.tif 000002
【実用新案登録請求の範囲】
【請求項１】
斜め後方からは表示内容を判読し難くするために携帯電話のモニター表面を覆うように貼付けて使用する四方形の透明シート材であって、携帯電話本体と接着するために四方形シート材の上下左右何れか一辺端部にのみ接着部を設け、該接着部を設けた端部以外の端部に該シート材を容易にめくることができるようにつまみ部を形成したことを特徴とする携帯電話のモニター用保護シート材。
【請求項２】
接着部がシートに塗付けた粘着剤または一部をシート端部からはみ出すようにされた接着テープによって構成されていることを特徴とする請求項１に記載の携帯電話のモニター用保護シート材。
【請求項３】
つまみ部を接着部を設けた以外の辺端部に1つ又は複数個形成していることを特徴とする請求項１又は請求項２に記載の携帯電話のモニター用盗み見防止シート材。
【請求項４】
シート材表面に装飾的なキャラクター形状などを用いた表示を行っていることを特徴とする請求項１〜請求項３の何れか1つに記載の携帯電話のモニター用保護シート材。
【請求項５】
つまみ部に着色したり装飾的なキャラクター形状などを用いた表示を行っていることを特徴とする請求項１〜請求項４の何れか1つに記載の携帯電話のモニター用保護シート材。
【考案の詳細な説明】
【技術分野】
【０００１】
本考案は、携帯電話のモニター部分を適宜に被包して斜め後方からメール等を盗み見されることを防止すると共に汚れやキズからモニター面を適切に保護するシート材を提供しようとするものである。
【背景技術】
【０００２】
近時広く普及している携帯電話は単に通話目的に使用するだけではなく、メールの送受信などにも利用されるようになって来ている。
【０００３】
すなわち、携帯電話本体に液晶モニターなどを付属させ、これを利用して送信するメール文章を作成したり、受信したメールを読んだりしているが、このような作業は時と場所を選ぶことなく行われるようになっている。
【０００４】
したがって、通勤電車中などでメール送受信をすることも多いが、このように周囲に他者が大勢いる場合にはモニター上に表示したメール文章が盗み見されてしまう不安が付きまとう。
【０００５】
このような不安を解消する１手段として、モニターを正面から見る場合には表示文字等を明確に読むことができるが、斜めから見る場合にはモニター上の表示が見えなくなるように光学的に処理する特殊シートが開発され、実際に市販されてもいる。
また、必ずしも盗み見防止用というわけではないが、携帯電話のモニターをミラー化する技術に関しては以下のような文献が存在している。
【特許文献１】登録実用新案第３０８７５３９号公報
【考案の開示】
【考案が解決しようとする課題】
【０００６】
上記したような従来技術によるシート材料は、携帯電話のモニター全面に対してシリコン系の接着剤によって密着的に貼り付けるものであって、一度貼り付けると容易に剥がし辛く、また、再度貼り直すにしても正確に位置決めすることは簡単ではない。
【０００７】
また、このようなメールの盗み見防止シートは外からの光を反射しがちな素材となっており、晴れた日の屋外などのように外光が強い条件下では反射光によってメール内容を読むことが困難で、適宜にシートを取外さなければならない状況がどうしても生じてしまう。
【課題を解決するための手段】
【０００８】
本考案は、上記したような従来技術における不都合を解消すべく研究を重ねて創案されたものであり、このような携帯電話のモニター部保護用シートを全面的に貼り付けるのではなくその一端部のみを比較的強固に貼り付けるものとし、他端側のつまみ部を利用して状況に応じて自在にめくり上げ等できるようにしたものであって、より具体的には以下のごとくである。
【０００９】
（１）斜め後方からは表示内容を判読し難くするために携帯電話のモニター表面を覆うように貼付けて使用する四方形の透明シート材であって、携帯電話本体と接着するために四方形シート材の上下左右何れか一辺端部にのみ接着部を設け、該接着部を設けた端部以外の端部に該シート材を容易にめくることができるようにつまみ部を形成したことを特徴とする携帯電話のモニター用保護シート材。
【００１０】
（２）接着部がシートに塗付けた粘着剤または一部をシート端部からはみ出すようにされた接着テープによって構成されていることを特徴とする前記（１）項に記載の携帯電話のモニター用保護シート材。
【００１１】
（３）つまみ部を接着部を設けた以外の辺端部に1つ又は複数個形成していることを特徴とする前記（１）項又は（２）項に記載の携帯電話のモニター用盗み見防止シート材。
【００１２】
（４）シート材表面に装飾的なキャラクター形状などを用いた表示を行っていることを特徴とする前記（１）項〜（３）項の何れか1つに記載の携帯電話のモニター用保護シート材。
【００１３】
（５）つまみ部に着色したり装飾的なキャラクター形状などを用いた表示を行っていることを特徴とする前記（１）項〜（４）項の何れか1つに記載の携帯電話のモニター用保護シート材。
【実施例】
【００１４】
上記のような本考案によるものの具体的な実施の態様の１例を添付図面などを利用して以下に説明する。
図１は、本考案のモニター用保護シート１の説明図面である。すなわち、シート１は携帯電話２のモニター３を被包するサイズとされた長方形の透明素材により形成されている。
【００１５】
ここで用いる透明素材シート１は単に透明であるというだけではなく、正面方向からは該シート越しに反対側を透かし見ることができるが、適当な角度（４５°など）を付けた斜め方向から見る場合には反対側を透かし見ることができないように光学的に特殊加工を施したもので、このような性質を利用した盗み見防止シート自体は現実に市販されているものである。
【００１６】
既存の市販品の場合にはシートの裏面全面に接着剤を塗ってあり、携帯電話のモニター全面に密着するように取付けるようにされているが、本考案のシート１は単に一端部のみに接着部４を設けるだけにしている。
【００１７】
接着部４を設けた一端部の反対側には状況に応じてシート１を任意にめくり上げることができるようにつまみ部５を設けている。すなわち、モニター３に表示されたメール文章などが光の反射で読みにくいような状況ではこのシート１を用いずに直接モニター３を見ることができるようにする必要があるのである。
従来品であってもシート自体を剥がすことは可能であるが、一度剥がしたものを再び同様に位置決めして貼り直すことは容易なことではない。
【００１８】
本考案のシート１は接着部４以外の面に接着手段を設けていないが、モニター２と接する面にはシリコンコーティング処理などを施して密着性を良くするように配慮することが好ましい。このような処理によりシート１とモニター２表面との間に空気等が入ることを有効に防止してモニター２上の表示を見やすいものとすることができるのである。
【００１９】
また、接着部４は本考案のシート１の一端部裏面に接着剤を塗布する形式のものでも良いが、透明な接着テープなどを利用するものとしても良い。シート１自体の端部に接着剤を塗布する場合にはめくり上げなどを繰り返すことでシート１に折れ目が付いたり曲がり癖が付く可能性があるが、接着テープを利用する場合にはこのような心配はないものとできる。
【００２０】
モニター３上に取付けたシート１を自在にめくり上げするためには接着部４と反対側の端部などにつまみ部５を設けてそのような操作がやり易いようにする。このつまみ部５は１つで良いが２つ以上の複数箇所を設けても良い。図示のようにしておけば、仮に適用しようとする携帯電話２のモニター３が小さなもので、それに合わせてシート１の下端部をカットするような場合であっても適切に使えるつまみ部５を残すことができるものである。
このつまみ部５を透かしてモニター３上の表示などを見ることは無いので、ここには適宜な色彩やキャラクター模様などを施して装飾的役割を担わせることも可能である。
【００２１】
さらに、シート１自体の表面に対してもモニター３に表示されたメール等を読む際には障害とならないように特殊加工とした上でキャラクター形状などを利用した表示６などを施すことができる。このような特殊加工は既存技術により確立されている手法を採用すれば良いものである。
【００２２】
図２は、本考案のシート１をモニター３上に施した状態の携帯電話２を斜視図的に示して説明しているものである。
このように斜め方向からモニター３を眺める場合にはシート１上に特殊加工で施したキャラクター表示６の如きは明確に見ることができるが、実際にモニター３に表示されているメール等の情報は読み取ることができないようになっている。
【００２３】
図３は、図２のように取付けられたシート１をつまみ部５を介してめくり上げしている状態を説明する同様の斜視図である。
このようにすることで直接にモニター３を見ることができ、シート１の表面に強い光が反射してメール等が読みにくい状況であっても通常と同様に読み取ることができるようにすることになる。
【００２４】
図４は、実際にシート１をモニター３上に取付ける場合の手順を説明するものである。接着部４を携帯電話２のモニター３上端部所定箇所に正確に位置決めして取付けすれば、以降はこれを剥がしたりしないでも自在にめくり上げなどを繰り返すことができるようになる。
【００２５】
以上の図示においては、接着部４をシート１の上端部側に設ける場合について示してきたが、接着部４は下端部側や左右何れかの端部側に設けるものとしておけばそれで構わない。すなわち、長方形シート１の何れか一端部を接着部４となしその反対側の端部につまみ部５を形成することを原則とすればそれで足りるのである。
【００２６】
また、モニター３上を被包する本考案シート１は斜め後方からの覗き見を防止するだけではなく、それによってモニター３の汚損やキズ付きなどをも有効に防止して保護する効果も有しているものである。
【００２７】
以上説明したような本考案によれば、携帯電話で送受信するメールデータなどのモニター上表示を盗み見される心配をなくすと共に状況に応じて適宜に取外した状態でモニターを見ることも可能なようにし、さらに適宜な装飾効果をもたらしたり汚損やキズ付きの防止にも役立つように利用することができるものであって、この種の新製品として市場の需要を期待できるものであり産業上の利用可能性において優れた考案であると理解されるべきものである。
【図面の簡単な説明】
【００２８】
【図１】本考案のモニター用保護シートの説明図面である
【図２】本考案のシート１をモニター３上に施した状態の携帯電話２を斜視図的に示して説明図である。
【図３】図２のように取付けられたシートをつまみ部を介してめくり上げしている状態を説明する同様の斜視図である。
【図４】実際にシート１をモニター３上に取付ける場合の手順を説明する図面である。
【符号の説明】
【００２９】
１    モニター保護用シート
２    携帯電話
３    モニター
４    接着部
５    つまみ部
６    キャラクター形状等表示
【図１】
0003112585.tif 000003
【図２】
0003112585.tif 000004
【図３】
0003112585.tif 000005
【図４】
0003112585.tif 000006